(57)【要約】【課題】コネクタの作業性が良く、接続した際にＦＰＣが抜けにくく、また、コネクタにＦＰＣを正確な位置に挿入するとともに、ＦＰＣを確実に保持し嵌合することができるフレキシブル基板用コネクタを提供すること。【解決手段】フレキシブル基板用コネクタ１０は、コンタクト１と、コンタクト１を保持固定するハウジング２と、接続対象物であるＦＰＣ５０を押圧してこのＦＰＣ５０とコンタクト１とを接続させるアクチュエータ３とを備えている。このフレキシブル基板用コネクタ１０において、ハウジング２に固定される第１の部材４を更に有する。ハウジング２は、ＦＰＣ５０が挿入され、開放部が形成された挿入口７を有する。第１の部材４は、挿入口７の開放部へ向けて突出する突出片４ａを有する。突出片４ａの挿入口７の前記開放部と対向する側に面取部４ｅ，４ｆが形成されている。【選択図】　　　図３
2004022286.tif 000002
【特許請求の範囲】
【請求項１】
コンタクトと、コンタクトを保持固定するハウジングと、接続対象物を押圧してこの接続対象物とコンタクトとを接続させる加圧部材とを備えたフレキシブル基板用コネクタにおいて、
更に、第１の部材を有し、前記ハウジングは、前記接続対象物が挿入され、開放部が形成された挿入口を有し、
前記第１の部材は、前記挿入口の片側にこの挿入口の開放部へ向けて突出する突出片を有し、
前記突出片の挿入口の前記開放部と対向する側に面取部を形成したことを特徴とするフレキシブル基板用コネクタ。
【請求項２】
請求項１記載のフレキシブル基板用コネクタにおいて、前記突出片は、金属片で形成されており、前記金属片は前記突出片の突出方向とは反対の方向に取り付け部を介して延設部を有しており、前記突出片と前記延設部は上方に開放していることを特徴とするフレキシブル基板用コネクタ。
【請求項３】
請求項１又は２記載のフレキシブル基板用コネクタにおいて、前記突出片に形成された面取り部は、斜面又はＲ面取であることを特徴とするフレキシブル基板用コネクタ。
【発明の詳細な説明】
【０００１】
【発明の属する技術分野】
本発明は、フレキシブル配線基板又はフレキシブルフラットケーブル（以下、これらを纏めてフレキシブル基板、ＦＰＣと呼ぶ）を接続するために基板等に実装されるフレキシブル基板用コネクタに関する。
【０００２】
【従来の技術】
従来、この種のコネクタとしては、特開２０００−４８８８５公報に開示されたものがある（以下、従来技術１と呼ぶ）。従来技術１に開示されたコネクタは、フレキシブル基板（以下、フレキシブルフラットケーブルと合わせてＦＰＣと呼ぶ）の挿入方向が前後方向とされ、上方が開口したハウジングと、このハウジングの後方から取り付けられた複数のコンタクトと、ハウジングの上方から開放自在に支持され、所定の回動位置でこのハウジングに対してＦＰＣを押圧・固定するレバーとを有している。コンタクトは、ハウジングの後方から前方に向けて延び、その先端に前記フレキシブル基板と電気的に接続される接点部が設けられた接触片とリード端子と弾性支持片を有する。
【０００３】
レバーは、ＦＰＣを前記コンタクトに押圧する突起と、レバーの回動過程において、前記ハウジングに設けた面に乗り越えるように接触する突起と、レバーの回動中心側に湾曲した係止部とを有している。この係止部と前記コンタクトの弾性支持片の先端部が嵌合することにより、前記弾性支持片の先端部を中心として回動する構成である。
【０００４】
また、他のフレキシブル基板用コネクタが特開平１０−２０８８１０号公報（以下、従来技術２と呼ぶ。）に提案されている。
【０００５】
従来技術２によるコネクタは、ハウジング及び接触子を有し、この接触子は支柱と、前記支柱の上に上ビームからなるＴ形状部を有する。この上ビームは、前記支柱に対して片側に接触部を有する接触ビームと前記接触ビームの反対側に回転ビームを有する。また、前記回転ビームを変位させて前記支柱と前記上ビームとの接続部を支点として前記接触ビームに対向する部分との間隔を変位させる手段を前記回転ビームと前記回転ビームに対向する部分との間に有する構成である。
【０００６】
さらに、特許第３０２９９８５号公報（以下、従来技術３と呼ぶ）にもフレキシブル基板用コネクタが開示されている。従来技術３によるフレキシブル基板用コネクタでは、ハウジングの開口部に複数の接触子を配置されている。この接触子の接触部上に配置されるＦＰＣに対して、この接触部と反対側に回動支持部が設けられている。蓋状の加圧部材は、回動支持部により、接触子に近接した所定位置とこの所定位置から離反した開放位置との間を回動自在に支持されている。この加圧部材は上記所定位置まで回動した際に上記接触部上に配置されたＦＰＣを接触部に対して圧する加圧部を有している。上記ハウジングの開口部には、上記接触子の配列方向における少なくともこの開口部の両端部に、ＦＰＣの上面に近接もしくは接面するように位置する抑止翼と、回路基板の対応部分と半田固定される固定部とを備えた抑え金具がハウジングに取りつけられている構成である。
【０００７】
【発明が解決しようとする課題】
しかしながら、従来技術１のコネクタは、ＦＰＣを接点部に押圧するレバーの回動する方向と、ＦＰＣがあおられる方向が同方向なため、あおられると、コンタクトにＦＰＣの接点を押圧するためのレバーが開いてしまい、接触不良等を生じるという問題がある。
【０００８】
また、従来技術２によるフレキシブル基板用コネクタでは、押圧するための操作レバーがＦＰＣ挿入口と反対側にあり、ＦＰＣ挿入口の上側にも壁を設けているので、ＦＰＣの挿入口が分かりにくく、ＦＰＣの装着が難しいという問題があった。
【０００９】
また、従来技術３のフレキシブル基板用コネクタでは、両端に設けられた翼により、ＦＰＣを斜め上から挿入した際に翼部分とＦＰＣが干渉して挿入が難しいという問題があった。
【００１０】
そこで、本発明の一技術的課題は、コネクタの作業性が良く、接続した際にＦＰＣが抜けにくいフレキシブル基板用コネクタを提供することにある。
【００１１】
また、本発明のもう一つの技術的課題は、コネクタにＦＰＣを正確な位置に挿入するとともに、ＦＰＣを確実に保持し嵌合することができるフレキシブル基板用コネクタを提供することにある。
【００１２】
【課題を解決するための手段】
本発明によれば、コンタクトと、コンタクトと、コンタクトを保持固定するハウジングと、接続対象物を押圧してこの接続対象物とコンタクトとを接続させる加圧部材とを備えたフレキシブル基板用コネクタにおいて、更に、第１の部材を有し、前記ハウジングは、前記接続対象物が挿入され、開放部が形成された挿入口を有し、前記第１の部材は、前記挿入口の片側にこの挿入口の開放部へ向けて突出する突出片を有し、前記突出片の挿入口の前記開放部と対向する側に面取部を形成したことを特徴とするフレキシブル基板用コネクタが得られる。
【００１３】
また、本発明によれば、前記フレキシブル基板用コネクタにおいて、前記突出片は、金属片で形成されており、前記金属片は前記突出片の突出方向とは反対の方向に取り付け部を介して延設部を有しており、前記突出片と前記延設部は上方に開放していることを特徴とするフレキシブル基板用コネクタが得られる。
【００１４】
さらに、本発明によれば、前記いずれか一つのフレキシブル基板用コネクタにおいて、前記突出片に形成された面取り部は、斜面又はＲ面取であることを特徴とするフレキシブル基板用コネクタが得られる。
【００１５】
【発明の実施の形態】
以下、本発明の実施の形態について図面を参照しながら説明する。なお、以下の説明においては、コネクタのＦＰＣ挿入方向５１に沿う挿入側を前方、反対側を後方と呼ぶ。
【００１６】
図１は本発明の第１の実施の形態によるフレキシブル基板コネクタを示す平面図，図２は図１のコネクタのＩＩ−ＩＩ線断面図である。
【００１７】
図１及び図２を参照すると、フレキシブル基板用コネクタ１０は、細長い箱型の絶縁性の材料からなるハウジング２と、ハウジング２に支持されて幅方向に沿って並んで設けられた導電性を備えた複数のコンタクト１と、ハウジング２の両側に設けられた壁部からなる取り付け部２ａ，６と、この取り付け部２ａ，６に夫々設けられた金属片からなる第１及び第２の部材４，５と、ハウジング２の挿入口の後方側を一軸として回動することで、この挿入口を開放・閉塞可能なフレキシブル基板（以下、ＦＰＣと呼ぶ）を加圧する加圧部材であるアクチュエータ３とを備えている。
【００１８】
コンタクト１は、ハウジング２内に支持されるコンタクト支持部１ｃと、コンタクト支持部１ｃの前方で、上下に分岐して前方に延在するコンタクト接触部１ａ，１ｂと、コンタクト支持部１ｃの後方で、段をなして折れ曲がりハウジング２の下面に沿って外方に突出して設けられた端子部１ｄとを備えている。
【００１９】
図２に最も良く示されるように、アクチュエータ３は、断面四角形の角柱状の押圧部３ｂを下面側に備え，コンタクト１の上側のコンタクト接触部１ａの内側のくぼみに、このアクチュエータ３が、下側のコンタクト接触部１ｂを覆って回動自在となるように係合する支点部３ｃとを備えている。また、アクチュエータには、コンタクト１のコンタクト接触部１ｂのために貫通した細長い逃げ孔３ｄがコンタクト１に対応した位置に設けられている。
【００２０】
ハウジング２の挿入口の底部には、コンタクト１の下部接触部１ａを収容するための溝７ａを形成するように、突条部７ｂが幅方向に並んで設けられている。
【００２１】
ハウジング２の両端部には、第１の部材４及び第２の部材５が設けられている。コンタクト１を覆うように加圧部材であるアクチュエータ３が回動自在に取り付けられている。
【００２２】
このハウジング２，コンタクト１、開放可能なアクチュエータ３とＦＰＣ５０に設けられた接点の基本構造は、従来技術１，３と同様である。
【００２３】
本発明の実施の形態によるフレキシブル基板用コネクタは、ハウジング２の両側に取り付け部２ａ，６を備えている点及びこの取り付け部２ａ，６に第１及び第２の部材４，５を備えている点が従来技術によるものと異なっている。
【００２４】
金属片からなる第１の部材４にはフレキシブル基板用コネクタ１０の幅方向内側に向かって突出した突出片４ａが形成されており、これによって、ＦＰＣ挿入をガイドして挿入を容易にする。
【００２５】
図３は図１のフレキシブル基板用コネクタにＦＰＣを挿入するときの状態を示す斜視図である。図４は図３に示す状態からＦＰＣがハウジングのＦＰＣ挿入口７に挿入された状態を示す斜視図である。図５は図４の状態からアクチュエータを回動させて閉じてＦＰＣを固定した状態を示す斜視図である。
【００２６】
図３を参照すると、ハウジング２にコンタクト１が並列に支持されている。ハウジング２の両端部には、第１の部材４及び第２の部材５が設けられている。コンタクト１を覆うように加圧部材であるアクチュエータ３が回動自在に取り付けられている。このアクチュエータ３は、矢印５１で示す方向に挿入されたＦＰＣ５０を押圧して停止し、コンタクト１と接続する。
【００２７】
本発明の実施の形態によるフレキシブル基板用コネクタ１０は、ハウジング２の両側に取り付け部２ａ，６を備えている点及びこの取り付け部２ａ，６に第１及び第２の部材４，５を備えている点が従来技術によるものと異なっている。
【００２８】
図４に示すように、金属片からなる第１の部材４にはフレキシブル基板用コネクタ１０の幅方向内側に向かって突出した突出片４ａが形成されており、これによって、ＦＰＣ挿入をガイドして挿入を容易にするとともに、図８に示す如くＦＰＣ５０によるあおり防止がなされ、ＦＰＣ５０の離脱を防止することができる。
【００２９】
また、アクチュエータ３を回動させて、挿入口７を閉じ、ＦＰＣ５０を押圧して、ＦＰＣ５０の接点部がコンタクト１に接触した状態で固定する際に、第１の部材４の突出部４ａが邪魔にならないように、逃げ部として、アクチュエータ３の突出片４ａに対応する側には、切り欠き部３ａが設けられている。
【００３０】
図５に示すように、アクチュエータ３を回動させて閉じると、ＦＰＣ５０が嵌合した状態で固定される。
【００３１】
図６は図３の第１の部材を示す斜視図である。第１の部材４は、平板からなる延設部４ｃと、延設部４ｃから１方向に延び、フレキシブル基板用コネクタ１０のハウジング２の取り付け部６に取り付けるための取付部４ｂが設けられている。取り付け部４ｂと交差する方向には、突出片４ａが設けられている。突出片４ａの下側の角部には、面取りによってＦＰＣの横方向からの挿入側に斜面４ｅ，前方向からの挿入側に斜面４ｆが形成されている。挿入の際に、ＦＰＣ５０と突出片４ａが干渉してもこの斜面４ｅ又は４ｆに誘導され、さらにＦＰＣ５０をスムーズに挿入位置に合わせることができる。
【００３２】
また、突出片４ａと対向する延設部４ｃの端側から突出片４ａとは反対側にのび、下方に曲がりさらに、突出片４ａと同じ方向を向くよう折れ曲がってＵ字を形成して、基板に固定するための固定部４ｄが設けられている。
【００３３】
取り付け部４ｂと延設部４ｃとの継ぎ部４ｈは、突出片４ａがＦＰＣによりあおられた際に、弾性変位する支点となる部分である。
【００３４】
図７は図６の第１の部材４及び第２の部材５のハウジング２への取付け方向を示す斜視図である。図７に示すように、両側の壁部である取り付け部２ａ，６に夫々金属片４，５が取り付けられる。その際に、突出片４ａと延設部４ｃは、フレキシブル基板用コネクタ１０から上方に開放、露出している状態となる。
【００３５】
図８は図５の状態からＦＰＣを上方に引っ張ったときの状態を示す斜視図である。図９は、図８の図１と同じＩＩ−ＩＩ線の位置における断面図である。
【００３６】
図８及び図９を参照すると、ＦＰＣ５０がコンタクト１のコンタクト接触部１ａ，１ｂ間に挟みこまれ、また、アクチュエータ３は、支点部３ｃを介して回動して、この支点部３ｃをコンタクト１のコンタクト接触部１ａの弾性変形の復帰力によって、下方に付勢されて、押圧部３ｂを介してＦＰＣ５０を下方に押圧して、ＦＰＣ５０とコンタクト接触部１ｂの接触力を得ている。尚、ＦＰＣ５０には、図においては、裏面側に、コンタクト接触部１ｂと接触するための導体の露出部又は電極が形成されている。
【００３７】
ここで、図８及び図９において、矢印５３，５５は同じ方向を示している。フレキシブル基板がこの矢印で示される方向にあおられたときに、フレキシブル基板用コネクタ１０の幅方向内側に向かって突出した第１の部材４の突出片４ａが形成されており、ＦＰＣ５０によるあおり防止がなされ、ＦＰＣ５０の引き抜きによって、押圧部３ｂが上方に移動することを防止することができるとともに、ＦＰＣ５０の接触不良や離脱を防止することができる。
【００３８】
図１０は本発明の第２の実施の形態によるフレキシブル基板用コネクタの使用状態を示す斜視図である。図１１は図１０のフレキシブル基板用コネクタの側面図である。図１０及び図１１に示すように、フレキシブル基板用コネクタ２０の突出片４ａを備えた第１の部材４が設けられる取り付け部（壁部）２ｂの高さｈは、第２の部材５が設けられる取り付け部（壁部）２ａの高さＨよりも高いか、又は、同じ高さ（Ｈ≦ｈ）に形成されている。このような構成においては、取り付け部２ｂの高さが高く、さらに、突出片４ａが設けられているので、図１０に示すように、斜め横方向５２から挿入しても、接続することができる。
【００３９】
図１２は本発明の第３の実施の形態によるフレキシブル基板用コネクタの突出片を設けた第１の部材を示す斜視図である。図１３は図１２の第１の部材を有するコネクタの斜視図である。
【００４０】
図１３に示すように、フレキシブル基板用コネクタ３０は、金属片からそれぞれなる第１及び第２の部材４´，５´とコンタクト１´の形状が異なる他は第１の実施の形態によるものと同様の構成を備えている。コンタクト１´は基板等に接続するための端子部がハウジング２の後方に露出して設けられている。
【００４１】
図１２に示すように、第１の部材４´は、固定部４ｇがリード線の半田付け可能なように、両側に水平に延在しているほかは、図６の第１の部材４と同様の構成を有している。
【００４２】
即ち、第１の部材４′は、平板からなる延設部４ｃと、延設部４ｃから１方向に延び、コネクタのハウジングに取り付けるための取付部４ｂが設けられている。取り付け部４ｂと交差する方向には、突出片４ａが設けられている。突出片４ａの下側の角部には、面取りによって、ＦＰＣの横方向からの挿入側に斜面４ｅ、前方向からの挿入側に斜面４ｆが形成されている。斜面４ｅ，４ｆは、ＦＰＣ５０を誘導するために設けられている。また、突出片４ａの対向側の延設部から突出片４ａとは反対側にのび、水平で且つ括れをもって四角形となるように基板若しくは他の電子部品、リード線等に半田付け等によって固定するための固定部４ｇが設けられている。
【００４３】
尚、第２の部材５´も、第１及び第２の実施の形態で述べた第２の部材５とは、固定部の形状が異なる他は同様の構造を有している。
【００４４】
以上説明したように、本発明の第１乃至第３の実施の形態によるフレキシブル基板用コネクタ１０，２０，３０おいては、ＦＰＣ５０装着の際に、ＦＰＣ５０の上部に突出する突出片４ａを第１の部材４に形成し、突出部４ａのＦＰＣ５０の上面と接触する角部には斜面４ｅ，４ｆを設けたために、ＦＰＣ５０と突出部４ａの干渉を防ぎフレキシブル基板用コネクタ３０にＦＰＣ５０を正確な位置に挿入するとともに、ＦＰＣ５０を確実に保持し嵌合することができる。
【００４５】
以上説明した本発明の実施の形態では、第１の部材を金属で形成した金属片により説明したが、樹脂等の他の材料で形成したものを用いても良く、あるいは、ハウジングと一体に形成しても良い。
【００４６】
【発明の効果】
以上説明したように、本発明では、金属片に突出片を設けることによって、あおり防止がなされ、これによるＦＰＣの離脱やコネクタの破壊を防止できるコネクタを提供することができる。
【００４７】
また、本発明では、両側の金属片の内の片側のみに突出片を設けた為に、横方向からＦＰＣをコネクタのＦＰＣ挿入口に入れることができ、突出片が形成されていながら挿入性を向上させることができるコネクタを提供することができる。
【００４８】
また、本発明によれば、横よりＦＰＣが挿入されてくる方向の突出片の下部に斜面４ｅを形成することにより、ＦＰＣと突出片が干渉しても斜面に誘導され、さらにスムーズに挿入位置に合わせることができるコネクタを提供することができる。
【００４９】
さらに、本発明によれば、ＦＰＣ挿入口への突出量が少なく形成でき、且つ突出片を長く形成でき、突出片がＦＰＣからのあおりを受けた際に、十分弾性を持たせることができるため、突出片の変形を押さえることができ、コネクタを小型化しても十分な強度を持たせることができるフレキシブル基板用コネクタを提供することができる。
【図面の簡単な説明】
【図１】本発明の第１の実施の形態によるフレキシブル基板コネクタを示す平面図である。
【図２】図１のコネクタのＩＩ−ＩＩ線断面図である。
【図３】本発明の第１の実施の形態によるフレキシブル基板用コネクタを示す斜視図である。
【図４】図３示す状態から、ＦＰＣがハウジングのＦＰＣ挿入口に挿入された状態を示す斜視図である。
【図５】図４の状態からアクチュエータを回動させて閉じてＦＰＣを固定した状態を示す斜視図である。
【図６】図３の第１の部材を示す斜視図である。
【図７】図６の第１の部材４及び第２の部材５のハウジングへの取付け方向を示す斜視図である。
【図８】図５の状態からＦＰＣを上方に引っ張ったときの状態を示す斜視図である。
【図９】図８の図１と同じＩＩ−ＩＩ線の位置における断面図である。
【図１０】本発明の第２の実施の形態によるフレキシブル基板用コネクタの使用状態を示す斜視図である。
【図１１】図１０のフレキシブル基板用コネクタの側面図である。
【図１２】本発明の第３の実施の形態によるフレキシブル基板用コネクタの突出片を設けた金属片を示す斜視図である。
【図１３】図１２の金属片を有するコネクタの斜視図である。
【符号の説明】
１　　コンタクト
１ａ，１ｂ　　コンタクト接触部
１ｃ　　コンタクト支持部
１ｄ　　端子部
２　　ハウジング
２ａ，２ｂ，６　　取り付け部（壁部）
３　　アクチュエータ
３ａ　　切り欠き部
３ｂ　　押圧部
３ｃ　　支点部
３ｄ　　逃げ孔
４，４′　　第１の部材（金属片）
４ａ　　突出片
４ｂ　　取り付け部
４ｃ　　延設部
４ｄ，４ｇ　　固定部
４ｅ，４ｆ　　斜面
５，５′　　第２の部材（金属片）
５０　　ＦＰＣ
５１　　ＦＰＣ挿入方向
５３，５５　　移動方向
【図１】
2004022286.tif 000003
【図２】
2004022286.tif 000004
【図３】
2004022286.tif 000005
【図４】
2004022286.tif 000006
【図５】
2004022286.tif 000007
【図６】
2004022286.tif 000008
【図７】
2004022286.tif 000009
【図８】
2004022286.tif 000010
【図９】
2004022286.tif 000011
【図１０】
2004022286.tif 000012
【図１１】
2004022286.tif 000013
【図１２】
2004022286.tif 000014
【図１３】
2004022286.tif 000015